(57)【要約】【課題】プルーフに記載された修正指示に基づく修正が実行されたか否かを容易かつ正確に判断できる検版装置を提供する。【解決手段】修正前後の印刷データをそれぞれＲＩＰ処理したデータの差分として第１差分データＤＤ１を得る（ステップＳ１）。プルーフをイメージスキャナで読み取り修正指示データＤＣを得る（ステップＳ２）。修正指示データＤＣから修正指示を抽出し、第２差分データＤＤ２を得る（ステップＳ３）。抽出された修正指示の配置位置を調整し領域調整データＤＤ３を得る（ステップＳ４）。第１差分データＤＤ１と領域調整データＤＤ３とをレイヤー化して検版データＤＩを得る（ステップＳ５）。検版データＤＩによって表現される像を対象に検版処理を行う（ステップＳ６）。差分領域と修正指示領域との重なりの有無で、修正処理が修正指示に応じてなされたか否かが判断できる。【選択図】図５
2006079430.tif 000002
【特許請求の範囲】
【請求項１】
表示手段に処理状況を表示させつつ検版処理を行う検版装置であって、
第１の印刷データをラスタライズすることにより得られた第１の出力用データと、前記第１の印刷データに修正を施すことにより生成された第２の印刷データをラスタライズすることにより得られた第２の出力用データとから第１の差分データを生成する第１差分処理手段と、
前記第１の出力用データと、前記第１の出力用データに基づいて得られた校正用印刷物を所定の画像読取装置にて読み取ることにより得られた読取画像データとから第２の差分データを生成する第２差分処理手段と、
前記第１の差分データに基づき差分領域が形成される第１のレイヤーと前記第２の差分データに基づき修正指示領域が形成される第２のレイヤーとがレイヤー構造をなす検版データを生成する検版データ生成手段と、
を備え、
前記検版データに基づいて、前記差分領域と前記修正指示領域との重なり状態を前記表示手段に表示する、
ことを特徴とする検版装置。
【請求項２】
請求項１に記載の検版装置であって、
前記第２の差分データにおける修正指示領域の配置状態を調整して領域調整データを生成する領域調整手段、
をさらに備え、
前記第２のレイヤーが前記領域調整データを用いて形成される、
ことを特徴とする検版装置。
【請求項３】
請求項１または請求項２に記載の検版装置であって、
前記表示手段において、前記差分領域と前記修正指示領域とが、相異なる色によって表示される、
ことを特徴とする検版装置。
【請求項４】
請求項１ないし請求項３のいずれかに記載の検版装置であって、
前記表示手段において、前記差分領域と前記修正指示領域とが、矩形枠によって表示される、
ことを特徴とする検版装置。
【請求項５】
印刷システムであって、
a)紙媒体上の画像を光電的に読み取って読取画像データを生成する画像読取装置と、
b)所定の印刷データをラスタライズ処理することによって所定のデータ形式にて記述された出力用データを生成する出力データ生成装置と、
c)前記出力用データに基づく出力を行う出力装置と、
d)表示手段に処理状況を表示させつつ検版処理を行う検版装置であって、
d-1)第１の印刷データをラスタライズすることにより得られた第１の出力用データと、前記第１の印刷データに修正を施すことにより生成された第２の印刷データをラスタライズすることにより得られた第２の出力用データとから第１の差分データを生成する第１差分処理手段と、
d-2)前記第１の出力用データと、前記第１の出力用データに基づいて得られた校正用印刷物を前記画像読取装置にて読み取ることにより得られた読取画像データとから第２の差分データを生成する第２差分処理手段と、
d-3)前記第１の差分データに基づき差分領域が形成される第１のレイヤーと前記第２の差分データに基づき修正指示領域が形成される第２のレイヤーとがレイヤー構造をなす検版データを生成する検版データ生成手段と、
を備え、
前記検版データに基づいて、前記差分領域と前記修正指示領域との重なり状態を前記表示手段に表示する検版装置と、
を備えることを特徴とする印刷システム。
【請求項６】
請求項５に記載の印刷システムであって、
前記検版装置が、
d-4)前記第２の差分データにおける修正指示領域の配置状態を調整して領域調整データを生成する領域調整手段、
をさらに備え、
前記第２のレイヤーが前記領域調整データを用いて形成される、
ことを特徴とする印刷システム。
【請求項７】
表示手段に処理状況を表示させつつ検版処理を行う方法であって、
a)第１の差分データを生成する工程であって、
a-1)第１の印刷データをラスタライズすることにより第１の出力用データを得る工程と、
a-2)前記第１の印刷データに修正を施すことにより第２の印刷データを生成する工程と、
a-3)前記第２の印刷データをラスタライズすることにより第２の出力用データを得る工程と、
a-4)前記第１の出力用データと前記第２の出力用データとから第１の差分データを生成する工程と、
備える第１差分処理工程と、
b)第２の差分データを生成する工程であって、
b-1)前記第１の出力用データに基づいて所定の出力装置により校正用印刷物を得る工程と、
b-2)前記校正用印刷物を所定の画像読取装置て読み取ることにより読取画像データを得る工程と、
b-3)前記第１の出力用データと前記読取画像データとから第２の差分データを生成する工程と、
を備える第２差分処理工程と、
c)前記第１の差分データに基づき差分領域が形成される第１のレイヤーと前記第２の差分データに基づき修正指示領域が形成される第２のレイヤーとがレイヤー構造をなす検版データを生成する検版データ生成工程と、
d)前記検版データに基づいて、前記差分領域と前記修正指示領域との重なり状態を前記表示手段に表示する工程と、
を備えることを特徴とする検版処理方法。
【請求項８】
請求項７に記載の検版処理方法であって、
前記検版データ生成工程が、
c-1)前記第２の差分データにおける修正指示領域の配置状態を調整して領域調整データを生成する領域調整工程、
をさらに備え、
前記第２のレイヤーが前記領域調整データを用いて形成される、
ことを特徴とする検版処理方法。
【請求項９】
コンピュータにおいて実行されることにより、前記コンピュータを、請求項１ないし請求項４のいずれかに記載の検版装置として機能させることを特徴とするプログラム。
【発明の詳細な説明】
【技術分野】
【０００１】
本発明は、プルーフに記入された修正指示に基づく修正が的確に実行されたか否かを判断するにおいて好適な検版装置に関する。
【背景技術】
【０００２】
印刷業者が、クライアントからの受注に応じて印刷物を作成する場合、本印刷に先立って、校正のための印刷物、いわゆるプルーフを作成し、クライアントによる校正を受けるのが一般的である。係る校正の結果、修正の必要がないと判断されれば、「校了」となって本印刷が行われることになるが、一般には、このように直ちに校了となる場合よりもむしろ、「責了（責任校了）」となる場合が多い。責了とは、修正の必要があるがこれが軽微である場合などに、印刷業者側が責任をもって修正し校了とすることを前提として、クライアントが校了とすることをいう。責了の場合、印刷業者の側で、クライアントからの修正指示が記された責了紙の内容を確認しつつ印刷データを修正し、修正結果の校正を行うことになる。
【０００３】
係る場合の校正や、あるいはプルーフ作成時における校正などの作業支援を目的とする技術は、既に公知である（例えば特許文献１および特許文献２参照。）。
【０００４】
また、修正前後の印刷データを比較して、その差分を表示するデジタル検版装置も公知である（例えば特許文献３および特許文献４参照。）。
【０００５】
【特許文献１】特開平９−６９７５号公報
【特許文献２】特開平９−２３１３９０号公報
【特許文献３】特許２８１６０９１号公報
【特許文献４】特開平８−２０２０１４号公報
【発明の開示】
【発明が解決しようとする課題】
【０００６】
責了時の印刷物の校正においては、クライアントによって指示された修正が全て実行されていること、および、修正の必要のない箇所が誤って修正されていないことが、確実に確認できることが重要である。
【０００７】
特許文献１に係る装置においては、初校時のレイアウトデータと、修正後の（再校時の）レイアウトデータとの差分データを生成させることが可能であるが、装置上で該差分データと校了紙の内容との比較を行うことはできない。
【０００８】
特許文献２に開示された装置によれば、初校時のレイアウト画像と修正すべき箇所とをディスプレイ上に重ね合わせて表示させ、その表示内容に基づく修正を行うことは可能であるが、その修正が正しくなされたか否かを該装置において直接に確認することはできない。
【０００９】
特許文献３には、初校時のレイアウト画像と、修正後の（再校時の）レイアウト画像との差分画像と、校正紙に記入された修正指示を、ディスプレイ上に表示させ、修正が正しくなされているか否かを表示色の違いで確認することができる技術が開示されているが、修正指示がどのような態様で取得され表示されるのかという点に関しては、必ずしも明確でないところがある。
【００１０】
特許文献４には、初校時のレイアウト画像と、修正後の（再校時の）レイアウト画像と、あるいはこれらの差分画像と、校了紙から抽出された修正指示とを、重ね合わせてディスプレイ上に表示させることができる技術が開示されているが、校了紙からの修正指示の抽出は、修正指示が赤字で記入されることを利用するものであり、それ以外の色で記入された場合には対応ができない。
【００１１】
本発明は、上記課題に鑑みてなされたものであり、プルーフに記載された修正指示に基づく修正が実行されたか否かを容易かつ正確に判断できる検版装置を提供することを目的とする。
【課題を解決するための手段】
【００１２】
上記課題を解決するため、請求項１の発明は、表示手段に処理状況を表示させつつ検版処理を行う検版装置であって、第１の印刷データをラスタライズすることにより得られた第１の出力用データと、前記第１の印刷データに修正を施すことにより生成された第２の印刷データをラスタライズすることにより得られた第２の出力用データとから第１の差分データを生成する第１差分処理手段と、前記第１の出力用データと、前記第１の出力用データに基づいて得られた校正用印刷物を所定の画像読取装置にて読み取ることにより得られた読取画像データとから第２の差分データを生成する第２差分処理手段と、前記第１の差分データに基づき差分領域が形成される第１のレイヤーと前記第２の差分データに基づき修正指示領域が形成される第２のレイヤーとがレイヤー構造をなす検版データを生成する検版データ生成手段と、を備え、前記検版データに基づいて、前記差分領域と前記修正指示領域との重なり状態を前記表示手段に表示する、ことを特徴とする。
【００１３】
請求項２の発明は、請求項１に記載の検版装置であって、前記第２の差分データにおける修正指示領域の配置状態を調整して領域調整データを生成する領域調整手段、をさらに備え、前記第２のレイヤーが前記領域調整データを用いて形成される、ことを特徴とする。
【００１４】
請求項３の発明は、請求項１または請求項２に記載の検版装置であって、前記表示手段において、前記差分領域と前記修正指示領域とが、相異なる色によって表示される、ことを特徴とする。
【００１５】
請求項４の発明は、請求項１ないし請求項３のいずれかに記載の検版装置であって、前記表示手段において、前記差分領域と前記修正指示領域とが、矩形枠によって表示される、ことを特徴とする。
【００１６】
請求項５の発明は、印刷システムであって、a)紙媒体上の画像を光電的に読み取って読取画像データを生成する画像読取装置と、b)所定の印刷データをラスタライズ処理することによって所定のデータ形式にて記述された出力用データを生成する出力データ生成装置と、c)前記出力用データに基づく出力を行う出力装置と、d)表示手段に処理状況を表示させつつ検版処理を行う検版装置であって、d-1)第１の印刷データをラスタライズすることにより得られた第１の出力用データと、前記第１の印刷データに修正を施すことにより生成された第２の印刷データをラスタライズすることにより得られた第２の出力用データとから第１の差分データを生成する第１差分処理手段と、d-2)前記第１の出力用データと、前記第１の出力用データに基づいて得られた校正用印刷物を前記画像読取装置にて読み取ることにより得られた読取画像データとから第２の差分データを生成する第２差分処理手段と、d-3)前記第１の差分データに基づき差分領域が形成される第１のレイヤーと前記第２の差分データに基づき修正指示領域が形成される第２のレイヤーとがレイヤー構造をなす検版データを生成する検版データ生成手段と、を備え、前記検版データに基づいて、前記差分領域と前記修正指示領域との重なり状態を前記表示手段に表示する検版装置と、を備えることを特徴とする。
【００１７】
請求項６の発明は、請求項５に記載の印刷システムであって、前記検版装置が、d-4)前記第２の差分データにおける修正指示領域の配置状態を調整して領域調整データを生成する領域調整手段、をさらに備え、前記第２のレイヤーが前記領域調整データを用いて形成される、ことを特徴とする。
【００１８】
請求項７の発明は、表示手段に処理状況を表示させつつ検版処理を行う方法であって、a)第１の差分データを生成する工程であって、a-1)第１の印刷データをラスタライズすることにより第１の出力用データを得る工程と、a-2)前記第１の印刷データに修正を施すことにより第２の印刷データを生成する工程と、a-3)前記第２の印刷データをラスタライズすることにより第２の出力用データを得る工程と、a-4)前記第１の出力用データと前記第２の出力用データとから第１の差分データを生成する工程と、備える第１差分処理工程と、b)第２の差分データを生成する工程であって、b-1)前記第１の出力用データに基づいて所定の出力装置により校正用印刷物を得る工程と、b-2)前記校正用印刷物を所定の画像読取装置て読み取ることにより読取画像データを得る工程と、b-3)前記第１の出力用データと前記読取画像データとから第２の差分データを生成する工程と、を備える第２差分処理工程と、c)前記第１の差分データに基づき差分領域が形成される第１のレイヤーと前記第２の差分データに基づき修正指示領域が形成される第２のレイヤーとがレイヤー構造をなす検版データを生成する検版データ生成工程と、d)前記検版データに基づいて、前記差分領域と前記修正指示領域との重なり状態を前記表示手段に表示する工程と、を備えることを特徴とする。
【００１９】
請求項８の発明は、請求項７に記載の検版処理方法であって、前記検版データ生成工程が、c-1)前記第２の差分データにおける修正指示領域の配置状態を調整して領域調整データを生成する領域調整工程、をさらに備え、前記第２のレイヤーが前記領域調整データを用いて形成される、ことを特徴とする。
【００２０】
請求項９の発明は、コンピュータにおいて実行されることにより、前記コンピュータを、請求項１ないし請求項４のいずれかに記載の検版装置として機能させることを特徴とする。
【発明の効果】
【００２１】
請求項１ないし請求項９の発明によれば、第１の印刷データに対し校正用印刷物に記入された修正指示を反映した修正を行って第２の印刷データが生成された否かの判断を、表示手段に表示される検版データに基づく像において差分領域と修正指示領域とが同一位置で重なって存在するか否かを確認することにより行える。再修正が必要であるか、あるいは出力処理に移行することができるかを、容易に判断することができ、印刷ワークフローにおける処理の効率化が実現される。
【００２２】
また、請求項２、請求項６、および請求項８の発明によれば、校正用印刷物における修正指示の配置位置を、対象となるオブジェクトに対応付けて調整したうえで検版処理を行えるので、修正指示が対象となるオブジェクトと離れた位置に記載されていても、校正用印刷物に記入された修正指示を反映した修正を行って第２の印刷データが生成された否かの判断を確実に行うことができる。
【００２３】
また、請求項３の発明によれば、第１のレイヤーの表示内容と第２のレイヤーの表示内容を容易に判別できる。
【００２４】
また、請求項４の発明によれば、処理の負荷軽減を実現するとともに、第１のレイヤーの表示内容と第２のレイヤーの表示内容を判別容易とするので、検版処理において、修正の妥当性の判断をより確実に行えるようになる。
【発明を実施するための最良の形態】
【００２５】
図１は、本発明の実施の形態に係る検版装置１を含む印刷システム１００の構成を例示的に示す模式図である。印刷システム１００は、印刷データの作成から、校正、検版、出力までの一連のワークフローを担うシステムである。印刷システム１００は、検版装置１と、印刷データ作成装置２と、ＲＩＰ処理装置３と、出力装置４と、イメージスキャナ５とを主として備える。なお、図１においては、検版装置１と印刷データ作成装置２とＲＩＰ処理装置３と出力装置４とが、例えばＬＡＮ（Local Area Network）などのネットワークＮを介して互いに電気的に接続されており、かつイメージスキャナ５が通信線ＣＬを解して検版装置１と電気的に接続されている態様を示しているが、これは必須の態様ではない。これに代わり、イメージスキャナ５についても、ネットワークＮに接続されていてもよい。また、各装置が独立に存在し、所定の記録媒体を用いることによって、各装置間におけるデータの授受がなされる態様であってもよい。
【００２６】
検版装置１は、印刷データ作成装置２おいて作成された印刷データに係る検版処理を担う装置である。検版装置１の詳細については後述する。
【００２７】
印刷データ作成装置２は、印刷物における文字組版や画像配置等のレイアウト処理を行い、印刷データの作成を担う装置である。また、印刷データ作成装置２は、いったん作成された印刷データに基づいてプルーフ（校正用印刷物）が出力され、該プルーフを用いて校正がなされた後、該校正の結果に従って該印刷データを修正する際にも使用される。なお、以降の説明において、印刷データ作成装置２において新規に作成された印刷データを第１印刷データと称し、第１印刷データを修正することによって得られた印刷データを第２印刷データと称する。すなわち、第１印刷データはいわゆる初校データ、あるいは検版処理の際の基準となる印刷データであり、第２印刷データはいわゆる再校データ、あるいは検版処理の際に検版対象となる印刷データである。印刷データ作成装置２は、例えば、所定のレイアウトソフトウェアが読み込まれることによりレイアウト処理が実行可能とされた、コンピュータによって実現される。
【００２８】
ＲＩＰ処理装置３は、印刷データ作成装置２において作成あるいは修正された印刷データに対しＲＩＰ処理（ラスタライズ処理）を施し、出力装置４において出力処理可能なビットマップ形式のデータ（ＲＩＰ展開データ）を生成する。すなわち、ＲＩＰ処理装置３は出力データ生成装置として作用する。ＲＩＰ処理においては、出力装置４の出力解像度や印刷データの内容、あるいは検版処理の目的に応じた解像度のＲＩＰ展開データが生成される。例えば、出力装置４が校正用の出力装置である場合には、３００〜４００ｄｐｉ程度の出力解像度のＲＩＰ展開データが生成されるが、出力装置４が本印刷用の出力装置である場合、あるいは校正用の装置であってもハイエンドＤＤＣＰなど実際の印刷物と同等の網点形成が可能な装置である場合には、ＲＩＰ展開データとして、２４００ｄｐｉ程度の高解像度の網点化画像データが出力される。ＲＩＰ処理には、公知の技術を適用可能である。以降の説明においては、第１印刷データをＲＩＰ処理することにより得られるデータを第１ＲＩＰ展開データと称し、第２印刷データをＲＩＰ処理することにより得られるデータを第２ＲＩＰ展開データと称する。
【００２９】
なお、図１においては、印刷データ作成装置２とＲＩＰ処理装置３とが別個の装置としてネットワークＮに接続されているが、これらが一体の装置をなす態様であってもよい。あるいは、検版装置１がＲＩＰ処理機能を備え、ＲＩＰ処理前の印刷データが印刷データ作成装置２から検版装置１へと受け渡され、ＲＩＰ処理された上で検版処理に供される態様であってもよい。
【００３０】
出力装置４は、印刷データをＲＩＰ処理することにより得られたＲＩＰ展開データに基づいて、印刷物の出力を行う装置である。本実施の形態に係る印刷システム１００においては、少なくともプルーフの出力が出力装置４によって行われればよいので、出力装置４はプルーフとしての使用に適う印刷物の出力を行えるものであれば、その種類は限定されず、印刷物の内容や校正の目的に応じて適宜に選択され、用いられてよい。例えば、インクジェットプリンタや熱転写プリンタ、あるいはレーザプリンタを用いる態様であっても良いし、実際に印刷物に近い網点化画像の出力が可能なハイエンドＤＤＣＰ（Direct Digital Color Proofer）を用いる態様であってもよい。プルーフの出力に使用される出力装置４において出力処理可能なデータ形式のデータが、プルーフ出力用のデータとして検版装置１から出力装置４に与えられることになる。なお、出力装置４としては、デジタルデータを用いて直接にプルーフの出力が行えるものが好ましいが、イメージセッタによっていったんフィルムを作成し、これを用いてケミカルプルーフやプルーフの出力を行う態様であってもよい。ただし、係る場合は、イメージセッタを含めて出力装置４と称することになる。なお、本印刷用の高解像度の網点化画像を出力する出力装置が出力装置４として用いられてもよい。
【００３１】
イメージスキャナ５は、紙媒体上の像を光電的に読み取って電子データ（画像データ）化する画像走査読取装置である。本実施の形態においては、主として、いったん出力された後、校正者（クライアントなど）によって校正記号等の修正指示が記入されたプルーフ（あるいは責了紙）の像を読み取って、読取画像データ（修正指示データ）を得るために用いる。イメージスキャナ５としては、必要な解像度の条件を満たすことを条件に、公知の装置を用いることができる。
【００３２】
＜検版装置の構成＞
検版装置１は、コンピュータによって実現されるものである。すなわち、検版装置１には、図１に示すように、オペレータが各種の指示を入力するためのマウスやキーボードなどからなる操作部１１と、ディスプレイ等の表示部１２と、ハードディスクなどにより構成され、該コンピュータを検版装置１として機能させるためのプログラム１３ｐなどを保存するための記憶部１３と、ＤＶＤ−ＲＡＭ／ＲＷ、ＣＤ−ＲＷなど種々の可搬性の記録媒体との間でデータのリード／ライトを行うメディアリーダ／ライタなどからなるＲ／Ｗ部１４と、ネットワークＮ上の他の装置との間や、通信線CLを介しイメージスキャナ５や出力装置４との間でデータの受け渡しを行うためのインターフェースとしての通信部１５と、ＣＰＵ１６ａ、ＲＯＭ１６ｂ、およびＲＡＭ１６ｃから構成され、後述する各機能を実現する制御部１６とが主として備わっている。
【００３３】
なお、検版装置１においては、操作部１１を通じた操作内容や、種々の処理についての処理状況などを表示部１２にて表示させつつ処理を行うことができる、いわゆるＧＵＩ（Graphical User Interface）が、制御部１６、操作部１１、表示部１２の機能により実現されている。制御部１６に実現される後述する各部における処理も、このＧＵＩを用いて行われる。
【００３４】
図２は、検版装置１の制御部１６において実現される機能を説明するための図である。制御部１６においては、記憶部１３に記憶されている所定のプログラム１３ｐが、ＣＰＵ１６ａ、ＲＯＭ１６ｂ、およびＲＡＭ１６ｃによって実行されることにより、入出力処理部２１と、検版処理部２２とが主として実現される。
【００３５】
入出力処理部２１は、外部と検版装置１との間のデータの入出力、およびイメージスキャナ５からの画像データの取得に係る処理を担う。入出力処理部２１は、データ入力部２１１とスキャナ制御部２１２とデータ出力部２１３とを主として備える。
【００３６】
データ入力部２１１は、検版装置１の外部からネットワークＮ経由でデータ入力を受ける際や、所定の記録媒体に記録されているデータをＲ／Ｗ部１４において読み込む際、さらにはイメージスキャナ５から画像データを取得する際の、処理ダイアログあるいは処理メニューの生成や、操作部１１を介したオペレータからの操作指示に従った所定の処理を担う。
【００３７】
スキャナ制御部２１２は、操作部１１を介し、データ入力部２１１の作用によりイメージスキャナ５において画像データ（修正指示データ）を取得する旨の実行指示がオペレータによってなされた場合に、該実行指示に応答して所定の解像度や走査範囲、走査速度などに従ってスキャンを行うよう、イメージスキャナ５の動作を制御する。
【００３８】
データ出力部２１３は、検版装置１の外部へネットワークＮ経由でデータを出力する際や、Ｒ／Ｗ部１４において所定の記録媒体にデータを書き込む際の、処理ダイアログあるいは処理メニューの生成や、操作部１１を介したオペレータからの操作指示に従った所定の処理を担う。
【００３９】
検版処理部２２は、検版処理を担う。検版処理は、第１ＲＩＰ展開データと第２ＲＩＰ展開データとを比較して両者の差異を抽出し、校正を受けてなされた修正が、プルーフに記載された修正指示と合致するか否かを確認する処理である。本実施の形態においては、後述するように、プルーフに書き込まれた修正指示をイメージスキャナ５で読み取って画像データ化した後に、係る画像データに基づく修正指示の画像を修正前後のＲＩＰ展開データの差分画像と重ね合わせた状態を実現することにより、修正処理の適否を判断できる点で特徴的である。検版処理部２２は、第１差分処理部２２１と、第２差分処理部２２２と、領域調整処理部２２３と、検版データ生成部２２４とを、主として備える。
【００４０】
第１差分処理部２２１は、第１ＲＩＰ展開データと第２ＲＩＰ展開データとの差分を抽出する第１差分処理を行う。第１差分処理は、両データの色濃度値の差分演算を画素単位で行うことにより、画素ごとの差分値を得る処理である。第１差分処理を行うと、修正指示を受けて修正が施された画素位置において、０でない差分値が得られることになる。第１差分処理の結果、係る差分値の画素単位のマッピングデータとして、第１差分データが生成される。
【００４１】
なお、第１差分データは、表示部１２において視認可能とされるが、その際、好ましくは、第１差分処理部２２１の作用により、差分値が０でない画素が連続する領域、つまりは修正処理がなされた個々の領域が矩形枠で代用表示される。矩形枠による代用表示は、処理の負荷軽減を実現することに加え、後述する検版処理において、修正の妥当性の判断をより確実に行えるようにする、という効果がある。係る代用表示は公知の技術によって実現可能である。
【００４２】
第２差分処理部２２２は、第１ＲＩＰ展開データと修正指示データとの差分を抽出する第２差分処理を行う。第２差分処理は、両データの色濃度値の差分演算を画素単位で行うことにより、画素ごとの差分値を得る処理である。第２差分処理の結果、係る差分値の画素単位のマッピングデータとして、第２差分データが生成される。校正に使用されるプルーフは第１ＲＩＰ展開データに基づいて出力されたものであるので、修正指示が記入されたプルーフに基づいて得られた修正指示データのうち、修正指示以外の部分は、第１ＲＩＰ展開データと略同じ色濃度値を有するはずである。従って、第２差分処理はプルーフから修正指示を抽出する処理に相当し、第２差分データは、修正指示のみを画像として表現する画像データであることになる。また、この場合、赤字で記入されていない修正指示であっても、的確に抽出することができる。
【００４３】
なお、第２差分データは、表示部１２において視認可能とされるが、その際、好ましくは、第２差分処理部２２２の作用により、差分値が０でない画素が連続する領域、つまりは個々の修正指示が、矩形枠で代用表示される。矩形枠による代用表示は、処理の負荷軽減を実現することに加え、後述する検版処理において、修正の妥当性の判断をより確実に行えるようにする、という効果がある。係る代用表示は公知の技術によって実現可能である。
【００４４】
領域調整処理部２２３は、修正指示と修正の対象としている文字や画像などのオブジェクトとが適切に対応付けられるように調整する領域調整処理を担う。後述するように、本実施の形態に係る検版処理においては、修正指示の配置位置（そもそもは記入位置）の情報を、修正指示に基づく修正が適切になされたか否かを判断する際に利用する。しかしながら、プルーフへの修正指示の書き込みは、必ずしも対象となるオブジェクトの近傍になされるわけではなく、例えば矢印や引き出し線などで対象オブジェクトを特定しながら、該対象オブジェクトと離れた位置になされる場合も少なくない。このような場合、特に、第１差分データおよび第２差分データが矩形枠で代用表示される場合、修正指示がどのオブジェクトを対象としているのかがわかりにくくなってしまう。本実施の形態においては、この問題を避けるべく、領域調整処理部２２３の作用により、修正指示の配置位置やあるいはサイズがオペレータによって適宜に調整可能とされてなる。具体的には、操作部１１に備わるマウスによってドラッグするなどして、調整がなされる。これにより、修正指示と対象オブジェクトとの関係が明確化され、検版処理における妥当性の判断をより適正に行うことができるようになる。第２差分データに対し領域調整処理を施すことによって得られるデータを、領域調整データと称する。
【００４５】
検版データ生成部２２４は、上述のようにして得られた第１差分データと領域調整データとがレイヤー構造をなす検版データを生成する。そして検版データＤＩに基づき、第１差分データと領域調整データとがレイヤー化された状態（重ね合わせた状態）が、表示部１２において視認可能とされる。この重ね合わせ状態に基づいて、オペレータによる検版処理、すなわち、校正を受けてなされた修正がプルーフに記載された修正指示と合致するか否かを判断する処理が行われることになる。好ましくは、第１差分データと領域調整データの表示内容がそれぞれ相異なる色の矩形枠によって代用表示された状態が視認可能とされ、矩形枠の重なりの状態によって修正の妥当性が判断される。
【００４６】
＜プルーフの生成と校正処理＞
次に、検版処理に先だって行われる、プルーフの生成と校正処理に係るデータの生成について説明する。図３は、プルーフの出力に係るデータの流れを示す図である。図４は、プルーフに基づく修正がなされた後のデータの流れを示す図である。
【００４７】
印刷データ作成装置２において作成された印刷データは、例えばネットワークＮを介して、第１印刷データＤ１としてＲＩＰ処理装置３へと受け渡される。図７は、第１印刷データＤ１によって表現される像を例示する図である。図７においては、第１印刷データＤ１に７つのオブジェクトＯＢＪ１〜ＯＢＪ７が配置されている場合を示している。
【００４８】
ＲＩＰ処理装置３においては、オペレータによる所定の操作指示によってＲＩＰ処理の実行指示がなされると、第１印刷データＤ１をラスタライズして、出力装置４における出力に適した解像度のラスターデータである第１ＲＩＰ展開データＤＲ１が生成される。第１ＲＩＰ展開データＤＲ１は、ネットワークＮを通じて出力装置４に送信される。
【００４９】
出力装置４は、受け取った第１ＲＩＰ展開データＤＲ１に基づいて、プルーフの出力を実行する。出力されたプルーフは、校正者による校正作業に供されることとなる。
【００５０】
また、第１ＲＩＰ展開データＤＲ１は、ネットワークＮを通じて検版装置１にも受け渡され、記憶部１３やＲＡＭ１６ｃなどに記憶される。
【００５１】
プルーフを用いた校正作業においては、レイアウトされた文字、画像などの配置や体裁、色再現性などに誤りがないか、印刷データ作成時に意図したものと合致するか、などが校正者によって確認される。そして、必要に応じ、修正指示が校正者の手でプルーフ上に直接に記入される。修正指示は、所定の校正記号などを用い、通常は赤字で記入されるが、他の色によって記入される場合もある。図８は、図７に示す第１印刷データＤ１をＲＩＰ処理することにより得られた第１ＲＩＰ展開データＤＲ１に基づいて出力されたプルーフＰＲを例示する図である。図８においては、３つの修正指示Ｃ１〜Ｃ３が記入された場合を例示している。修正指示Ｃ１は、オブジェクトＯＢＪ２の文字色を「Ｃ（シアン）１００％」に変更する旨の指示である。修正指示Ｃ２は、オブジェクトＯＢＪ３をスミノセに変更する旨の指示である。修正指示Ｃ３は、オブジェクトＯＢＪ６の垂直方向の配置を揃える旨の指示である。
【００５２】
校正作業がなされると、プルーフに記入された修正指示に基づいて印刷データの修正がなされる。修正後の印刷データは、第２印刷データＤ２としてＲＩＰ処理装置３へと受け渡される。図９は、プルーフＰＲに記入された修正指示に基づいて、図７に例示する第１印刷データＤ１を修正することにより得られた第２印刷データＤ２によって表現される像を例示する図である。なお図９においては、修正が施されたオブジェクトを太線で示している。すなわち、第１印刷データＤ１のオブジェクトＯＢＪ３、ＯＢＪ４、ＯＢＪ６が、オブジェクトＯＢＪ３’、ＯＢＪ４’、ＯＢＪ６’へと修正された場合が示されている。なお、プルーフＰＲにおいて修正指示の対象となっていないにもかかわらず、オブジェクトＯＢＪ４は修正されてしまったものとする。
【００５３】
ＲＩＰ処理装置３においては、第２印刷データＤ２をラスタライズして、第１印刷データＤ１と同じ解像度のラスターデータである第２ＲＩＰ展開データＤＲ２が生成される。第２ＲＩＰ展開データＤＲ２は、ネットワークＮを通じて検版装置１に受け渡され、記憶部１３やＲＡＭ１６ｃなどに記憶される。
【００５４】
第１ＲＩＰ展開データＤＲ１と第２ＲＩＰ展開データＤＲ２とは、次述する検版処理に供される。
【００５５】
＜検版処理＞
次に、検版処理について説明する。図５は、検版処理に係る処理の流れを示す図である。図６は、検版処理に係るデータの流れを示す図である。
【００５６】
オペレータによって操作部１１を通じた所定の実行指示が与えられると、まず、第１差分処理部２２１の作用により、修正前後の第１印刷データＤ１および第２印刷データＤ２をそれぞれＲＩＰ処理して得られた第１ＲＩＰ展開データＤＲ１と第２ＲＩＰ展開データＤＲ２との差分を得る第１差分処理が行われ、第１差分データＤＤ１が生成される（ステップＳ１）。第１差分データＤＤ１は、いったん記憶部１３やＲＡＭ１６ｃなどに記憶される。
【００５７】
図１０は、第１差分データＤＤ１によって表現される像を例示する図である。図１０においては、差分が生じている領域（差分領域）が矩形枠によって代用表示されている場合を示している。上述のように、第２印刷データＤ２を生成する際には、第１印刷データＤ１の３つのオブジェクトＯＢＪ３、ＯＢＪ４、ＯＢＪ６が、オブジェクトＯＢＪ３’、ＯＢＪ４’、ＯＢＪ６’へと修正されているので、第１差分データＤＤ１においては、これらの修正に対応して、３つの差分領域ＤＩＦ３、ＤＩＦ４、ＤＩＦ６が得られている。なお、上述の例では、プルーフＰＲにおいてオブジェクトＯＢＪ２に対する修正指示Ｃ１が記載されているにもかかわらず、オブジェクトＯＢＪ２に対する修正はなされていないことになるので、当然ながら、図７に示す印刷データＤ１におけるオブジェクトＯＢＪ２の配置位置に相当する第１差分データＤＤ１における領域ＡＲ１において、差分領域は得られていない。
【００５８】
次に、プルーフＰＲをイメージスキャナ５で読み取ることにより、プルーフＰＲの像を画像データ化した修正指示データＤＣが生成される（ステップＳ２）。修正指示データＤＣは、記憶部１３やＲＡＭ１６ｃなどに記憶される。イメージスキャナ５の動作は、スキャナ制御部２１２によって制御される。なお、ステップＳ１とステップＳ３の処理の順序は、入れ替わってもよい。
【００５９】
修正指示データＤＣが得られると、記入された修正指示を抽出すべく、第２差分処理部２２２の作用により、第１ＲＩＰ展開データＤＲ１と修正指示データＤＣとの差分を得る第２差分処理が実行され、第２差分データＤＤ２が生成される（ステップＳ３）。第２差分データＤＤ２は、記憶部１３やＲＡＭ１６ｃなどに記憶される。図１１は、第２差分データＤＤ２により表現される像を例示する図である。図１１においては、プルーフＰＲに記載されていた３つの修正指示Ｃ１〜Ｃ３が抽出された場合が示されている。
【００６０】
第２差分データＤＤ２が得られると、領域調整処理部２２３の作用により、領域調整処理が実行され、抽出された修正指示の配置位置が調整される（ステップＳ４）。領域調整処理においては、領域調整処理部２２３の作用により、第２差分データＤＤ２と第１ＲＩＰ展開データＤＲ１とが一時的にレイヤー化されて表示部１２に表示されるとともに、操作部１１を通じた操作によって、それぞれの修正指示が移動可能かつ変形可能な状態とされる。なお、以下においでは、それぞれの修正指示が占める領域（修正指示領域）が矩形枠によって代用表示された状態で、調整を行う場合を説明する。これに代わり、修正指示Ｃ１〜Ｃ３の配置位置を直接に調整する態様であってもよい。
【００６１】
図１２は図１１に示す修正指示Ｃ１〜Ｃ３をそれぞれ修正指示領域ＦＣ１〜ＦＣ３として矩形枠で表示した場合を示す図である。図１３は、領域調整処理の内容を説明するための図である。なお、図１３においては、第１ＲＩＰ展開データＤＲ１による像を破線で表している。
【００６２】
図８においては、修正指示Ｃ２は対象となるオブジェクトＯＢＪ３の直上に記載されているものの、修正指示Ｃ１は、対象となるオブジェクトＯＢＪ１から離れた位置に矢印を用いて記載され、修正指示Ｃ３は、対象となるオブジェクトＯＢＪ６の隣に配置されているオブジェクトＯＢＪ５と一部が重なる位置にブレース（いわゆる中括弧）を用いて記載されている。従って、修正指示領域ＦＣ１およびＦＣ３の配置位置は、修正の対象となるオブジェクトとは一致していないことになる。従って、オペレータが、これらの修正指示領域に対して、領域調整を行う必要がある。例えば図１３に示すように、修正指示領域ＦＣ１であればオブジェクトＯＢＪ２の直上位置である領域ＡＲ２の近傍へ、修正指示領域ＦＣ３であればオブジェクトＯＢＪ６の直上位置である領域ＡＲ３の近傍へ、それぞれ配置位置を移動させることが必要であり、場合によってはそのサイズを変更することが必要である。
【００６３】
図１４は、このような領域調整処理によって得られる領域調整データＤＤ３によって表現される像を示す図である。領域調整データＤＤ３は、記憶部１３やＲＡＭ１６ｃなどに記憶される。なお、領域調整データＤＤ３はレイヤー構造を有するデータではないが、図１４においては説明の便宜上、図１３と同様に第１ＲＩＰ展開データＤＲ１による像を破線で付記している。図１４においては、修正指示領域ＦＣ１の配置位置およびサイズを変更した修正指示領域ＦＣ１’がオブジェクトＯＢＪ２の直上位置に配置され、修正指示領域ＦＣ３の配置位置およびサイズを変更した修正指示領域ＦＣ３’がオブジェクトＯＢＪ６の直上位置に配置されている場合が示されている。これにより、修正指示の対象となったオブジェクトの直上位置に、当該修正指示に対応する修正指示領域が位置する状態が、実現されたことになる。すなわち、修正指示領域が配置されている位置が、プルーフＰＲにおいて修正の対象とされているオブジェクトが存在する位置であることを示していることになる。
【００６４】
なお、領域調整処理においては、それぞれの修正指示領域がどのオブジェクトに対する修正指示と対応付けられているのかが明確に分かるように、修正指示領域の配置や調整を行えばよいので、修正指示領域の位置やサイズを、対応するオブジェクトと厳密に一致させることは必要ではない。また、領域調整処理の必要がない場合、以降の処理においては、第２差分データＤＤ２がそのまま領域調整データＤＤ３として用いられる。
【００６５】
領域調整データＤＤ３が得られると、検版データ生成部２２４の作用により、第１差分データＤＤ１と領域調整データＤＤ３とがレイヤー化され、検版データＤＩが生成される（ステップＳ５）。検版データＤＩは、記憶部１３やＲＡＭ１６ｃなどに記憶される。ここで、検版データＤＩのうち第１差分データＤＤ１によって形成されるレイヤーを差分レイヤーと称し、領域調整データＤＤ３によって形成されるレイヤーを修正指示レイヤーと称することとする。図１５は、検版データＤＩによって表現される像を例示する図である。なお、図１５においては図示の都合上、差分レイヤーを一点鎖線で、修正指示レイヤーを実線で示しているが、好ましくは、それぞれのレイヤーは異なる色で表示される。このような色分け表示がなされる場合、次述する検版処理に際して、それぞれのレイヤーにおいて矩形枠による代用表示がなされていても、それぞれの矩形枠が、差分レイヤーの差分領域を示しているのが、あるいは修正指示レイヤーの修正指示を示しているのかが、容易に判別されることになる。
【００６６】
検版データＤＩが生成されると、検版データＤＩの内容に基づいて表示部１２に表示される像を対象に、検版処理がなされる（ステップＳ６）。具体的には、図１５に示すような像に基づいて、第１印刷データＤ１に対する修正がプルーフに記入された修正指示に従って行われたか否か、換言すれば、校正者の意図する内容の第２印刷データＤ２が得られたか否かが、オペレータにより確認され、修正の妥当性が判断されることになる。
【００６７】
検版データＤＩは、差分レイヤーと修正指示レイヤーとを有するが、前者に現れている矩形枠は、修正指示に合致しているか否かに関わらず、その箇所が修正がなされた領域（差分領域）であることを示しており、一方、後者に現れている矩形枠が占める領域（修正指示領域）は、その配置位置と対応する第１印刷データＤ１上の位置にあるオブジェクトが、プルーフにおいて修正対象となっていたことを示している。従って、検版データＤＩによって表現される像において、同一位置に、差分レイヤーと修正指示レイヤーとの双方に矩形枠が存在する場合、すなわち、差分領域と修正指示領域とが同一位置で重なって存在する場合、第１印刷データＤ１においてその位置に配置されているオブジェクトについては、何らかの修正指示がなされているとともに、実際に修正が行われていることになる。差分領域と修正指示領域とが異なる色で表示される態様であれば、この判別がより容易かつ確実なものとなる。オペレータは、このような、矩形枠で表示された差分領域と修正指示領域の配置状態をみて、プルーフに基づく修正の妥当性を判断することになる。図１５に示す検版データＤＩの場合は、次の３つの状態が確認できることになる。
【００６８】
まず第１の場合として、差分領域ＤＩＦ３と修正指示領域ＦＣ２とが重なっており、差分領域ＤＩＦ６と修正指示領域ＦＣ３’とが重なっている。よって、これらの箇所においては、プルーフＰＲに記載された修正指示に応じて、修正が施されていることが分かる。
【００６９】
一方、第２の場合として、差分領域ＤＩＦ４が存在する位置には、修正指示レイヤーに修正指示領域がなにも存在していない。従って、差分領域ＤＩＦ４を生じさせた修正は、修正指示に従ったものではなく、この位置に存在するオブジェクトに対しては、校正者の意図に反する改変がなされてしまっていると判断することができる。
【００７０】
さらに、第３の場合として、修正指示領域ＦＣ１’が存在する位置には、差分レイヤーに差分領域がなにも存在していない。従って、この位置に存在するオブジェクトに対しては、修正指示領域ＦＣ１’に基づく修正、具体的には修正指示Ｃ１に係る修正がなされているべきであるのに、これがなされていないと判断することができる。
【００７１】
すなわち、図１５に示す検版データＤＩについては、上記の第２および第３の場合が生じていることが理由で、適正な修正が実行されていないと判断できることになる。なお、存在する全ての修正指示領域と全ての差分領域とにおいて重なりがあり、単独で存在する修正指示領域あるいは差分領域がないと判断される場合、全ての修正指示に対応して修正がなされていることになる。
【００７２】
なお、上述したように、第２差分データＤＤ２は、領域調整を必要とするデータであるが、仮に、これを行わずにレイヤー化を行った場合には、図１６に示す検版データＤＩ’が得られることになる。この場合、差分レイヤーに現れる差分領域については、領域調整を行った場合の検版データＤＩと同じであるが、修正指示レイヤーに現れる修正指示領域の配置位置は、異なるものとなる。係る場合、差分領域ＤＩＦ３と修正指示領域ＦＣとは正しく対応しているが、他の領域の矩形枠については対応がみられない。そのため、他の本来は正しく修正がなされている差分領域ＤＩＦ６についても、差分領域ＤＩＦ４と同様に余計な修正がなされていると判断され、一方、本来その位置に存在するオブジェクトに対しては修正が不要であるはずの修正指示領域ＦＣ１、ＦＣ３の配置位置において、修正が必要と判断されてしまうことになる。さらには、領域ＡＲ４には差分領域も修正指示領域も存在しないことから、正しくは修正の対象であるはずの当該位置に存在するオブジェクト（図８のオブジェクトＯＢＪ２）については、修正指示はされておらず、実際にも修正がなされてはいない、との誤った判断がなされてしまうことになる。本実施の形態においては、上述のような領域調整処理を適宜に行うことで、このような誤りは容易に回避することができる。
【００７３】
以上説明したように、本実施の形態においては、表示部に表示される検版データに基づく像に基づいて、各箇所においてなされた修正が、修正指示を反映してなされているか否かを容易に判断することができる。また、プルーフにおいて修正指示が対象となるオブジェクトと離れた位置に記載されていても、その判断を確実に行うことができる。これにより、再修正が必要であるか、あるいは出力処理に移行することができるかを、容易かつ正しく判断することができ、印刷ワークフローにおける処理の効率化が実現される。
【図面の簡単な説明】
【００７４】
【図１】本発明の実施の形態に係る検版装置１を含む印刷システム１００の構成を例示的に示す模式図である。
【図２】検版装置１の制御部１６において実現される機能を説明するための図である。
【図３】プルーフの出力に係るデータの流れを示す図である。
【図４】プルーフに基づく修正がなされた後のデータの流れを示す図である。
【図５】検版処理に係る処理の流れを示す図である。
【図６】検版処理に係るデータの流れを示す図である。
【図７】第１印刷データＤ１によって表現される像を例示する図である。
【図８】第１ＲＩＰ展開データＤＲ１に基づいて出力されたプルーフＰＲを例示する図である。
【図９】第２印刷データＤ２によって表現される像を例示する図である。
【図１０】第１差分データＤＤ１により表現される像を例示する図である。
【図１１】第２差分データＤＤ２により表現される像を例示する図である。
【図１２】修正指示Ｃ１〜Ｃ３をそれぞれ修正指示領域ＦＣ１〜ＦＣ３として矩形枠で表示した場合を示す図である。
【図１３】領域調整処理の内容を説明するための図である。
【図１４】領域調整データＤＤ３によって表現される像を示す図である。
【図１５】検版データＤＩによって表現される像を例示する図である。
【図１６】領域調整処理を行わなかった場合の検版データＤＩ’によって表現される像を例示する図である。
【符号の説明】
【００７５】
１  検版装置
２  印刷データ作成装置
３  ＲＩＰ処理装置
４  出力装置
５  イメージスキャナ
１００  印刷システム
Ｃ１〜Ｃ３  修正指示
ＤＩＦ３、ＤＩＦ４、ＤＩＦ６  差分領域
ＦＣ１〜ＦＣ３  修正指示領域
Ｎ  ネットワーク
ＯＢＪ１〜ＯＢＪ７  （修正前の印刷データに配置された）オブジェクト
ＰＲ  プルーフ
【図１】
2006079430.tif 000003
【図２】
2006079430.tif 000004
【図３】
2006079430.tif 000005
【図４】
2006079430.tif 000006
【図５】
2006079430.tif 000007
【図６】
2006079430.tif 000008
【図７】
2006079430.tif 000009
【図８】
2006079430.tif 000010
【図９】
2006079430.tif 000011
【図１０】
2006079430.tif 000012
【図１１】
2006079430.tif 000013
【図１２】
2006079430.tif 000014
【図１３】
2006079430.tif 000015
【図１４】
2006079430.tif 000016
【図１５】
2006079430.tif 000017
【図１６】
2006079430.tif 000018